(57)【要約】【課題】  原子力発電プラントの非常用炉心冷却系内の停滞水を浄化する。【解決手段】  非常用炉心冷却系注入配管１２の注入逆止弁１４に均圧弁１９を接続し、均圧弁１９の均圧配管１８に接続したドレン配管２０に設けた上下二段のドレン弁２１の間から浄化用配管１０１を分岐して原子炉冷却材浄化系吸込み配管３１に接続した構成を有する。  原子力発電プラントの定期検査時に、均圧弁１９を開いて、原子炉冷却材浄化系ポンプ３２によって、非常用炉心冷却系注入配管１２内の水を炉水と共に均圧配管１８とドレン配管２０と浄化用配管１０１とに順次通して原子炉冷却材浄化系浄化設備３３で浄化し、原子炉給水系配管３４経由で原子炉圧力容器１内に戻す。【選択図】図１
2007071800.tif 000002
【特許請求の範囲】
【請求項１】
注入隔離弁が装備された注入配管を備えて原子炉圧力容器内へ注水する非常用炉心冷却系と、
前記原子炉圧力容器内の冷却水を浄化する浄化装置を備え、
前記浄化装置で浄化された前記冷却水を前記原子炉圧力容器へ供給する原子炉冷却材浄化系と
前記注入配管の前記注入隔離弁よりも下流側部分と、前記原子炉冷却材浄化系の前記浄化装置よりも上流側部分とを連絡する管路とを備えた沸騰水型原子力発電プラント。
【請求項２】
請求項１において、前記管路は、前記管路内を流れる冷却水の流量を制御する弁を備えている沸騰水型原子力発電プラント。
【請求項３】
請求項１において、前記管路には前記管路内を流れる流量を制御する弁を備え、且つ前記管路の少なくとも途中部分が前記注入配管側と前記浄化装置へ前記冷却水を供給する吸込み配管側とに着脱自在な仮設ホースで構成されている沸騰水型原子力発電プラント。
【請求項４】
請求項１から請求項３までのいずれか一項において、前記管路は前記非常用炉心冷却系の逆止弁に装備されている均圧弁の均圧配管に接続されている沸騰水型原子力発電プラント。
【請求項５】
沸騰水型原子力発電プラントの非常用炉心冷却系の注入隔離弁よりも下流側の注入配管内の水を、前記沸騰水型原子力発電プラントの原子炉冷却材浄化系内に吸い込んで浄化し、前記浄化の後の前記水を前記沸騰水型原子力発電プラントの原子炉圧力容器内に戻し、前記原子炉圧力容器内の水を前記注入隔離弁よりも下流側の前記注入配管内に流入させる沸騰水型原子力発電プラントの配管浄化方法。
【発明の詳細な説明】
【技術分野】
【０００１】
本発明は、沸騰水型原子力発電プラントにおける非常用炉心冷却系注入配管内の浄化技術に関する。
【背景技術】
【０００２】
沸騰水型原子力発電プラントの非常用炉心冷却系は、残留熱除去系による低圧注水系の３系列と、低圧炉心スプレイ系及び高圧炉心スプレイ系の合計５系列構成となっている。
【０００３】
その非常用炉心冷却系は原子炉圧力容器内の冷却材喪失事故時に、原子炉圧力容器へサプレッションプール水を供給して原子炉圧力容器内の水位を安全な水位に維持する機能を有する。
【０００４】
よって、事故時状態で無い原子炉通常運転中には非常用炉心冷却系は待機状態であり、非常用炉心冷却系ポンプは停止し、原子炉への注入隔離弁も全閉状態であり、注入隔離弁と原子炉格納容器との間の注入配管内の流体（水）は、原子炉通常運転中の約１年間は常時停滞状態となっている。
【０００５】
また、原子炉定期検査中において、原子炉格納容器内の非常用炉心冷却系注入配管上に設置している注入逆止弁等の点検頻度や計画工程にもよるが、注入隔離弁と原子炉格納容器との間の注入配管内の流体（水）は数年間停滞状態となって、錆び等の腐食生成物が注入配管内に発生する可能性がある。
【０００６】
なお、非常用炉心冷却系の配管および弁等の材質は、一般的に炭素鋼材料を使用している。
【０００７】
原子炉通常運転時および定期検査中における一般的な操作においては、この非常用炉心冷却系の注入配管内で発生した錆び等の腐食生成物は非常時以外には原子炉へ注水されることはない。
【０００８】
なお、近年は原子力発電プラントの点検期間を短縮しそのプラントの稼動期間を多く確保することによりそのプラントの利用効率を向上させる取り組みが行われるようになった。点検期間短縮には点検作業の合理化，作業手順の見直し，交代勤務体制の導入等が検討されている。
【０００９】
非常用炉心冷却系注入隔離弁と原子炉格納容器との間の注入配管内の水質を浄化することに関する先行技術は無いと考えますが、原子炉冷却材浄化系と非常用炉心冷却系の一部である残留熱除去系間を配管にて接続し、原子炉停止時冷却機能としての残留熱除去系熱交換器の放射能を低減して、定検時の作業員が受ける放射線量を低減する発明を記載したものが公知である（例えば、特許文献１参照）。
【００１０】
特許文献１では、原子炉通常運転中に原子炉水を浄化する原子炉冷却材浄化系と、原子炉停止時に原子炉水を循環冷却する残留熱除去系間に接続管を設けることで、非常用炉心冷却系の一つである残留熱除去系の注入隔離弁上流側配管や熱交換器等に対し、原子炉冷却材浄化系出口の浄化された高温冷却水を常時通水させることで残留熱除去系に付着する放射能を低減し、定期検査時の作業員が受ける放射線量を低減できることが可能としているものである。
【００１１】
【特許文献１】特開平９−６８５９０号公報
【発明の開示】
【発明が解決しようとする課題】
【００１２】
原子力発電プラントの定期検査時には、原子炉圧力容器内と、原子炉圧力容器の上方を覆う位置に形成されている原子炉ウエルというプールに水を張って原子炉圧力容器内からの放射線を水で遮蔽することを実施する。
【００１３】
原子炉圧力容器および原子炉ウェルへの水張りは復水貯蔵タンクより、補給水系の配管を経由して復水を供給することで行っている。その水張りに約１日を要していた。
【００１４】
原子力発電プラントの点検期間を短縮し、そのプラントの利用効率を向上させる取り組みとして、定期検査時の原子炉圧力容器および原子炉ウェルへの水張り時間を短縮する工夫も行う必要がある。
【００１５】
補給水系の配管は非常用炉心冷却系の配管および機器等の保守・点検前の洗浄用として、非常用炉心冷却系の注入隔離弁の上流側にも洗浄用配管が接続してあることから、この非常用炉心冷却水系の洗浄用配管を利用して原子炉圧力容器および原子炉ウェルへ復水を供給することにより、水張り時間の短縮を図る運用が考えられる。
【００１６】
しかし、このような運用を行うと以下の課題に直面する。即ち、原子炉圧力容器および原子炉ウェルへの水張り時間短縮のため、非常用炉心冷却水系の洗浄用配管を利用して原子炉圧力容器および原子炉ウェルへの水張りラインとして使用する場合、非常用炉心冷却系注入配管のうち、注入隔離弁と原子炉圧力容器の間の配管内に長期間停滞した停滞水が原子炉圧力容器および原子炉ウェルに腐食生成物とともに供給され、一時的に原子炉水の透明度が低下する。そのために、水張り後に行われる原子炉内の点検作業および燃料装荷作業の実施が困難となる。各作業の実施を早めるためにも、原子炉冷却材浄化系による原子炉圧力容器内や原子炉ウェル内の水を浄化するが、その浄化が進むまで作業着手時間が遅れ、水張り時間の短縮効果が損なわれることが考えられる。
【００１７】
さらに、炭素鋼配管で長期間停滞水となる領域では腐食生成物の蓄積量が増加するばかりではなく、蓄積した腐食生成物が凝集することが生じる。
【００１８】
この凝集した腐食生成物が原子炉圧力容器底部に沈殿すると、原子炉冷却材浄化系による浄化が困難となり、原子炉圧力容器内に多くの腐食生成物が沈殿したまま運転を開始すると、運転中の燃料被覆管表面に付着する腐食生成物の量が増加し、さらには燃料から発せられる放射線により腐食生成物での放射性物質の量を増加させる結果となるので好ましくない。
【００１９】
上述のように、炭素鋼材料で長期停滞水となる非常用炉心冷却系を用いて原子炉圧力容器および原子炉ウェルへの水張り時間の短縮を図るためには、非常用炉心冷却系の長期間停滞水となる範囲に蓄積する腐食生成物を除去するとともに、蓄積した腐食生成物が凝集することを防止することが望ましい。
【００２０】
よって、本発明の目的は、沸騰水型原子力発電プラントの非常用炉心冷却系注入配管内の停滞水を浄化することで、そのプラントの定期検査を短縮し、そのプラントの稼動効率を向上することにある。
【課題を解決するための手段】
【００２１】
本発明の目的を達成するための手段は、注入隔離弁が装備された注入配管を備えて原子炉圧力容器内へ注水する非常用炉心冷却系と、
前記原子炉圧力容器内の冷却水を浄化する浄化装置を備え、
前記浄化装置で浄化された前記冷却水を前記原子炉圧力容器へ供給する原子炉冷却材浄化系と、
前記注入配管の前記注入隔離弁よりも下流側部分と、前記原子炉冷却材浄化系の前記浄化装置よりも上流側部分とを連絡する管路とを備えた沸騰水型原子力発電プラントである。
【００２２】
また、沸騰水型原子力発電プラントの非常用炉心冷却系の注入隔離弁よりも下流側の注入配管内の水を、前記沸騰水型原子力発電プラントの原子炉冷却材浄化系内に吸い込んで浄化し、前記浄化の後の前記水を前記沸騰水型原子力発電プラントの原子炉圧力容器内に戻し、前記原子炉圧力容器内の水を前記注入隔離弁よりも下流側の前記注入配管内に流入させる沸騰水型原子力発電プラントの配管浄化方法である。
【発明の効果】
【００２３】
本発明によれば、沸騰水型原子力発電所プラントにおける非常用炉心冷却系の注入隔離弁と原子炉圧力容器との間の注入配管内での腐食生成物の形成を抑えることが出来るので、原子力発電プラントの定期検査中にその注入配管経由で原子炉圧力容器および原子炉ウェルに水張りしても、定期検査を長引かせることなく、そのプラントの稼動効率を向上できる効果がある。
【発明を実施するための最良の形態】
【００２４】
軽水型原子力発電プラントは、原子炉圧力容器１内で高温高圧蒸気を発生させ、その蒸気で蒸気タービンを駆動し、その蒸気タービンで発電機を駆動することで電力を発生させるプラントである。その原子炉圧力容器１は、核燃料を装荷した炉心を内蔵し、原子炉圧力容器１内の冷却水を原子炉冷却材再循環ポンプ５で原子炉冷却材再循環系配管６を経由して炉心へ循環させ、炉心でその冷却水を加熱して蒸気を発生している。このように、その原子炉圧力容器１には、核燃料を装荷した炉心を備えているので、放射線や放射性物質が意図しない状況で漏洩しない様に原子炉圧力容器１を原子炉格納容器２内に格納されている。
【００２５】
その原子炉圧力容器１から冷却水が喪失するような事故を想定した場合には、冷却水の喪失で炉心が冷却水の水面から上方へ露出して冷却できなくなる懸念がある。その懸念を払拭して安全に冷却水喪失事故を終息させるために、原子炉圧力容器１内に冷却水を供給する非常用炉心冷却系が備えられている。
【００２６】
軽水型原子力発電プラントにおける非常用炉心冷却系は、残留熱除去系による低圧注水系７を３系列と、低圧炉心スプレイ系８および高圧炉心スプレイ系９の合計５系列の構成となっている。これら非常用炉心冷却系の５系統の構成はいずれも基本的に同一構成であるため、その５系列を代表して高圧炉心スプレイ系９を非常用炉心冷却系と称して以下に例示する。
【００２７】
非常用炉心冷却系は、原子炉格納容器２内に装備されているサプレションプール３内のサプレションプール水４を一水源としている。非常用炉心冷却系は、非常用炉心冷却系注入配管１２の一端がサプレションプール３内に、他端が原子炉圧力容器１内に連通している。その非常用炉心冷却系注入配管１２の途中には、非常用炉心冷却系ポンプ１１が設けられている。その非常用炉心冷却系ポンプ１１は、サプレションプール３水を非常用炉心冷却系注入配管１２に吸い込んで原子炉圧力容器１内へ非常用炉心冷却系注入配管１２を通じて供給する駆動力を発揮する。そのため、非常用炉心冷却系においては、サプレションプール３側が上流で、原子炉圧力容器１側が下流となる水の流れとなる。
【００２８】
非常用炉心冷却系注入配管１２の非常用炉心冷却系ポンプ１１よりも下流側の非常用炉心冷却系注入配管１２の途中には、原子炉格納容器２の外側において、注入隔離弁１３が装備され、サプレションプール３水の原子炉圧力容器１内への供給と停止を司っている。
【００２９】
非常用炉心冷却系注入配管１２の原子炉格納容器２内の部分には、注入逆止弁１４が、原子炉圧力容器１からサプレションプール３側への逆流を防止する向きにして、装備されている。さらに、その注入逆止弁１４よりも原子炉圧力容器１寄りの非常用炉心冷却系注入配管１２の部分には、メンテナンス用止め弁１５が装備されている。そのメンテナンス用止め弁１５は、注入逆止弁１４を分解点検する際に、原子炉圧力容器１内の冷却水が注入逆止弁１４に到達しないように非常用炉心冷却系注入配管１２を締め切るのに用いられ、その点検以外の時期においては常時開かれているものである。
【００３０】
非常用炉心冷却系注入配管１２の非常用炉心冷却系ポンプ１１と注入隔離弁１３との間の部分には、テストライン１７を成す配管の一端が接続され、その配管の他端はサプレションプール３内に接続されている。そのテストライン１７の途中部分には、テスト弁１６が装備され、非常用炉心冷却系のテストの際、非常用炉心冷却系ポンプ１１を試運転時に開かれ、その他の場合には閉じられている。
【００３１】
注入隔離弁１３と、テストライン１７の非常用炉心冷却系注入配管１２への接続部と、の間の非常用炉心冷却系注入配管１２の部分には、非常用炉心冷却系洗浄用配管４１が洗浄弁４２と逆止弁とを介して接続されている。この非常用炉心冷却系洗浄用配管４１は復水補給水系を構成している配管であり、復水補給水系内のポンプで復水貯蔵タンク等に内蔵した水を高圧にて非常用炉心冷却系注入配管１２内に注入して非常用炉心冷却系注入配管１２内や非常用炉心冷却系ポンプ１１を洗浄することが出来る。その洗浄に際しては、洗浄弁４２が開かれる。
【００３２】
非常用炉心冷却系のＡ部を拡大して表したＡ部（詳細図）に示すように、非常用炉心冷却系注入配管１２に装備されている注入逆止弁１４には、注入逆止弁１４の上流側と下流側との圧力差を均等圧力にする均圧弁１９が装備されている。その均圧弁１９と注入逆止弁１４とは一対の均圧配管１８で接続され、原子炉圧力容器１内と同等圧を受ける原子炉圧力容器１寄りの均圧配管と、非常用炉心冷却系注入配管１２内と同等圧を受ける注入隔離弁１３寄りの均圧配管とで一対をなしている。注入逆止弁１４の点検などにおいては、均圧弁１９を開いて注入逆止弁１４の上流側と下流側との間の差圧を無くして点検できるようにする。原子力発電プラントの点検時以外においては、均圧弁１９は閉じられて注入逆止弁１４の機能が発揮できるようにされている。
【００３３】
注入隔離弁１３寄りの均圧配管１８には、ドレン配管２０が接続されている。ドレン配管２０には直列に二個のドレン弁２１を装備している。メンテナンス用止め弁１５を閉じてドレン弁２１と均圧弁１９を開くと、メンテナンス用止め弁１５と注入隔離弁１３との間の非常用炉心冷却系注入配管１２内の水がドレン配管２０やドレン弁２１を通じて排水処理設備へ送られ、注入逆止弁１４の点検が可能となる。
【００３４】
次に、原子炉冷却材浄化系について説明する。軽水型原子力発電プラントに装備されている原子炉冷却材浄化系は、原子炉冷却材再循環系配管６と原子炉給水系配管３４とを接続する原子炉冷却材浄化系吸込み配管３１とを有する。その原子炉給水系配管３４は原子炉圧力容器１へ接続され、蒸気タービンで使用された蒸気を凝縮した復水を原子炉圧力容器１内に供給する流路となっている。
【００３５】
原子炉冷却材浄化系吸込み配管３１は、原子炉冷却材浄化系ポンプ３２及び原子炉冷却材浄化系浄化設備（例えば、脱塩器が用いられる。）３３を直列に接続している。このような原子炉冷却材浄化系は原子炉冷却材浄化系ポンプ３２を作動させて原子炉冷却材再循環系配管６や原子炉圧力容器１内から冷却水を原子炉冷却材浄化系吸込み配管３１内に吸い込み、同配管を通じて原子炉冷却材浄化系浄化設備３３へ供給できる。ここで冷却水は原子炉冷却材浄化系浄化設備３３によって浄化される。原子炉冷却材浄化系浄化設備３３で浄化された冷却水は、原子炉冷却材浄化系吸込み配管３１から原子炉給水系配管３４内に供給され、原子炉給水系配管３４を通じて原子圧力容器１内へ供給できる。
【００３６】
このような原子炉冷却材浄化系と、非常用炉心冷却系とは、以下のようにして接続可能としてある。即ち、二個のドレン弁２１の間に位置するドレン配管２０の部分には、浄化用配管１０１の一端が接続され、その他端は、原子炉冷却材浄化系吸込み配管３１の、原子炉冷却材浄化系ポンプ３２と原子炉冷却材再循環系配管６との間に位置する部分に接続されている。
【００３７】
この浄化用配管１０１のドレン配管２０寄りの部位には、止め弁１０２が設けられ、浄化用配管１０１の原子炉冷却材浄化系吸込み配管３１寄り部位には、止め弁１０３が設けられている。これら止め弁１０２，１０３は、原子力発電所プラントの定期検査に際して開かれ、その他の時期には閉じられている。
【００３８】
その定期検査時においては、メンテナンス用止め弁１５と均圧弁１９と均圧弁１９寄りのドレン弁２１を開いた状態で、浄化用配管１０１上の各止め弁１０２，１０３を開くと、原子炉冷却材浄化系ポンプ３２で注入逆止弁１４と原子炉圧力容器１との間の非常用炉心冷却系注入配管１２内の水が腐食生成物を同伴して均圧配管１８からドレン配管２０を経由して浄化用配管１０１内に吸い込まれる。さらに、浄化用配管１０１内に吸い込まれた水は、原子炉冷却材浄化系吸込み配管３１内に入って、原子炉冷却材浄化系浄化設備
３３によって腐食生成物が取り除かれて浄化され、原子炉給水系配管３４経由で原子炉圧力容器１内に供給される。
【００３９】
非常用炉心冷却系注入配管１２内の水が原子炉冷却材浄化系ポンプ３２で浄化用配管
１０１側に吸い込まれるのに伴って、原子炉圧力容器１内の冷却水は、非常用炉心冷却系注入配管１２内に入り、非常用炉心冷却系注入配管１２内に残存している腐食生成物を同伴して再度同様な浄化作用を受ける。このような浄化作用を繰り返して行うことによって逆止弁と原子炉圧力容器１との間の非常用炉心冷却系注入配管１２内が洗浄される。
【００４０】
原子炉圧力容器１内や原子炉ウェル内に水を張る際には、洗浄弁４２と注入隔離弁１３とメンテナンス用止め弁１５を開いておく。この状態で、復水補給水系から水が非常用炉心冷却系注入配管１２内を通じて原子炉圧力容器１内や原子炉ウェル内へ供給できる。その水を原子炉圧力容器１内や原子炉ウェル内へ供給する際に、非常用炉心冷却系注入配管１２内を定期検査ごとに浄化してあるので、腐食性生物などの水の透明度を悪化する要因を原子炉圧力容器１内や原子炉ウェル内に同伴することが無く、定期検査作業を早期に行えるようになる。
【００４１】
以上のような構成を備えている原子力発電プラントにあっては、原子炉通常運転中には非常用炉心冷却系は待機状態であり、非常用炉心冷却系ポンプ１１は停止状態で、かつ、原子炉圧力容器１への注入隔離弁１３も全閉状態である。
【００４２】
ただし、非常用炉心冷却系ポンプ１１の機能が健全であることを確認するため月１回の頻度で非常用炉心冷却系ポンプ１１を起動させる。この際にも原子炉圧力容器１への注入隔離弁１３は全閉状態のままであるがテスト弁１６は開かれている状態とする。このような状態では、サプレッションプール３からサプレションプール水４を非常用炉心冷却系ポンプ１１で吸引し、テスト弁１６およびテストライン１７を通じて吸引したサプレションプール水４をサプレションプール３へ戻す循環運転でポンプテスト運転を行うことで非常用炉心冷却系ポンプ１１の健全性の確認を実施している。
【００４３】
また、原子炉圧力容器１への注入隔離弁１３の機能が健全であることについても、前記のポンプテスト運転とは別に、月１回の頻度で注入隔離弁１３の開動作試験を実施している。この際、原子炉圧力容器１内の高圧水が系統側へ逆流することが無いように、注入隔離弁１３下流側に注入逆止弁１４が機能している。
【００４４】
このように非常用炉心冷却系の構成機器のテストで、非常用炉心冷却系の注入隔離弁
１３から原子炉圧力容器の間に設置されている非常用炉心冷却系注入配管１２（原子炉格納容器２内に設置されている。）内の流体は、原子炉通常運転中の約１年間は常時停滞状態となっている。
【００４５】
原子力発電プラントの定期検査中において、原子炉格納容器２内の非常用炉心冷却系注入配管１２上に設置している注入逆止弁１４や均圧弁１９の開放点検等を行う場合には、非常用炉心冷却系注入配管１２内の水をドレン配管２０を使用してドレン系および廃棄物処理系などの処理設備へ排水している。ここで、ドレン配管２０を使用しての水抜き時には、開放端であるドレン受口から水が飛散したりしないように、ドレン弁２１の開度に注意を払いながら排水しており、炭素鋼材料である非常用炉心冷却系注入配管１２内で発生した錆び等の腐食生成物のうち、水の色を赤茶色に変えるような微粒子状のものは水抜きによって排水可能である。
【００４６】
しかし、炭素鋼配管である非常用炉心冷却系注入配管１２内に長期間停滞水を生じる領域、即ち非常用炉心冷却系の注入隔離弁１３から原子炉圧力容器の間に設置されている非常用炉心冷却系注入配管１２内、では腐食生成物の蓄積量が増加するばかりではなく、蓄積した腐食生成物が凝集することが生じる。特に、炭素鋼配管で長期間停滞水となる環境に、さらに常時酸素の供給があり、腐食生成物の結晶成長が起こる１００℃程度以下の適度な温度に保たれる領域では、腐食生成物の凝集が加速する可能性を有すると考えられる。
【００４７】
ここで、非常用炉心冷却系の注入配管は図１のＡ部詳細図に示すように、原子炉格納容器２内で立ち上がって原子炉圧力容器１へ接続している。このため、原子炉圧力容器１内の約２８０℃に至る高温水は接続部水平配管領域までは同一条件となるが、立ち上がり配管部の上部から下方側にかけて熱伝達効果はあるものの徐々に温度は低下し、注入逆止弁１４が設置されている水平配管付近では、原子炉格納容器２内の雰囲気温度である８０℃程度まで低下する。
【００４８】
また、原子炉が運転中における冷却水中には、原子炉圧力容器１内での放射線による冷却水の放射線による分解反応によって酸素が発生する。よって、原子炉圧力容器１から注入逆止弁１４の間の非常用炉心冷却系注入配管１２内には充分な酸素の供給があるものと言える。なお、立ち上がり形状を有する非常用炉心冷却系注入配管のルートは、下部が広くて上部が狭い原子炉格納容器２の構造上やむ得ないものである。
【００４９】
よって、凝集した腐食性生物を形成させないための有効な手段としては冷却水を長い期間停滞維持されることを防止する。あるいは、原子炉圧力容器１および原子炉ウェルの水張り前に、凝集した腐食生成物を除去することである。
【００５０】
前記の注入逆止弁１４や均圧弁１９の開放点検等による水抜き水張りによる水の入れ替えでも凝集した腐食生成物を形成させない効果はあるが、この注入逆止弁等の開放点検は毎定期検査時に必ず全数実施する必要はないため、定期検査時においても常時停滞状態のままとなる非常用炉心冷却系統もあり、一旦、凝集した腐食生成物が形成すると、ドレン配管２０による水抜きでは除去できない。
【００５１】
そこで、非常用炉心冷却系の注入逆止弁１４等の開放点検とは関係無しに、毎定期検査時に非常用炉心冷却系注入配管１２内の停滞水を浄化することが凝集した腐食生成物を形成させないための最も有効な手段である。
【００５２】
本発明の実施例では、冷却水が長い期間停滞維持される可能性のある非常用炉心冷却系注入配管１２内の水を、以下のようにして毎定期検査時に容易にして、かつ、効果的に浄化する。
【００５３】
冷却水が常時停滞となる原子炉格納容器２内の非常用炉心冷却系注入配管１２に設置されている注入逆止弁１４には、原子炉通常運転中に開閉操作によって逆止弁の機能が維持されていることを確認できるように、注入逆止弁１４前後の圧力を均圧するための均圧弁１９が設置されている。また、この均圧弁１９は原子炉格納容器２内での非常用炉心冷却系注入配管１２の最低部に設置されることが多いため、この均圧弁１９の均圧配管１８に水抜き用のドレン配管２０およびドレン弁２１が設置されている。
【００５４】
このドレン配管２０に接続した浄化用配管１０１や各止め弁１０２，１０３は、３系列の低圧注水系７と、低圧炉心スプレイ系８および高圧炉心スプレイ系９の合計５系列全てに設置することが望ましい。
【００５５】
原子炉格納容器２内に設置されている部分の非常用炉心冷却系注入配管１２内の浄化を行う場合には、上下二個あるドレン弁２１のうち非常用炉心冷却系注入配管１２側(上側)の第１ドレン弁２１と、浄化用配管１０１に設けた止め弁１０２，１０３を開とすることで、原子炉冷却材浄化系ポンプ３２によって、各非常用炉心冷却系注入配管１２内の水も原子炉圧力容器１内の水と並行して吸引され、原子炉冷却材浄化系浄化設備３３で浄化された後、原子炉給水系配管３４を経由して再び原子炉圧力容器１へ戻される循環を繰り返す。
【００５６】
このように非常用炉心冷却系の冷却水が常時停滞となっている注入隔離弁１３と原子炉圧力容器１との間の非常用炉心冷却系注入配管１２内の停滞水を浄化する。その浄化後においては、非常用炉心冷却系の注入隔離弁１３の上流側に接続されている復水補給水系からの洗浄用配管４１を使用して、原子炉圧力容器１内や原子炉ウェル内への水張りを行って水張り時間の短縮と共に張った水の水質上の悪影響を防止することできる。
【００５７】
次に、図２を用いてもうひとつの他の実施例を説明すると、以下の通りである。即ち、注入逆止弁１４の均圧配管１８にドレン配管２０を接続し、そのドレン配管２０に上下２重のドレン弁２１を設け、各ドレン弁２１の間のドレン配管２０部分から浄化用配管101を分岐させ、原子炉冷却材浄化系吸込み配管３１に接続することは前記の実施例と同一であるが、その浄化用配管１０１の途中部分が仮設ホース１０６に置き換えられている点が相違している。
【００５８】
ドレン配管２０側の浄化用配管１０１には、止め弁１０２が、原子炉冷却材浄化系吸込み配管３１側の浄化用配管１０１には、止め弁１０３が設置される。仮設ホース１０６の浄化用配管１０１への接続口には、ワンタッチカプラ１０４，１０５が設けられている。ワンタッチカプラ１０４，１０５には、仮設ホース１０６が着脱自在に接続自在である。
【００５９】
仮設ホース１０６は、原子炉運転時には、ワンタッチカプラ１０４，１０５から外されて、保管場所に保管されている。その他の構成等は先の実施例と同じである。
【００６０】
原子力発電プラントの定期検査時に仮設ホース１０６をワンタッチカプラ１０４，105間に接続し、ドレン弁２１と止め弁１０２，１０３を開することで、原子炉冷却材浄化系ポンプ３２によって、非常用炉心冷却系注入配管１２内の水と原子炉圧力容器１内の水とを仮設ホース１０６を経由して吸引して、原子炉冷却材浄化系浄化設備３３で浄化し、浄化した水を原子炉給水系配管３４を経由して再び原子炉圧力容器１へ戻す。
【００６１】
このように、ワンタッチカプラ１０４，１０５と仮設ホース１０６による接続とするメリットは、原子炉格納容器２内は狭隘であり、図２のように本設配管で接続すると、たとえ小口径配管であっても３系列の低圧注水系７と、低圧炉心スプレイ系８および高圧炉心スプレイ系９の合計５系列全てに設置すると、原子炉格納容器２内の通路性や機器メンテナンススペースに影響を与えることも懸念されるため、定期検査時に非常用炉心冷却系の注入逆止弁の開放点検を実施しない系統を選択した上で、原子炉格納容器２内の保守・点検作業上支障がない時期（たとえば、夜間のみ）に限定して、仮設ホース１０６を接続して浄化を行うなど、現状の原子炉格納容器２内の通路性や機器メンテナンススペースに影響を与えることなく、非常用炉心冷却系注入配管１２内の停滞水を浄化できるものである。
【００６２】
以上のように、本発明の実施例に拠れば、原子炉通常運転時および定期検査時を通じて数年間常時停滞となる可能性がある非常用炉心冷却系注入隔離弁と原子炉圧力容器との間の非常用炉心冷却計注入配管内の停滞水を浄化し、その注入配管を浄化することが出来る。そのため、原子炉圧力容器内や原子炉ウェル内に復水補給水系からその注入配管経由で水張りして、水張りの時間を短縮するようにした際の水質の劣化を抑制できる。
【００６３】
また、他の実施例では、原子炉格納容器内のスペース確保を配慮して、必要時のみ仮設ホースを利用して非常用炉心冷却系注入配管の浄化を可能とした。
【産業上の利用可能性】
【００６４】
この発明は、原子力発電プラントに適用される。
【図面の簡単な説明】
【００６５】
【図１】本発明の実施例による原子力発電プラントにおける非常用炉心冷却系統及びその関連の系統図である。
【図２】本発明の他の実施例による原子力発電プラントにおける非常用炉心冷却系統及びその関連の系統図である。
【符号の説明】
【００６６】
１…原子炉圧力容器、２…原子炉格納容器、３…サプレションプール、４…サプレッションプール水、５…原子炉冷却材再循環ポンプ、６…原子炉冷却材再循環系配管、７…低圧注水系、８…低圧炉心スプレイ系、９…高圧炉心スプレイ系、１１…非常用炉心冷却系ポンプ、１２…非常用炉心冷却系注入配管、１３…注入隔離弁、１４…注入逆止弁、１５…メンテナンス用止め弁、１６…テスト弁、１７…テストライン、１８…均圧配管、１９…均圧弁、２０…ドレン配管、２１…ドレン弁、３１…原子炉冷却材浄化系吸込み配管、３２…原子炉冷却材浄化系ポンプ、３３…原子炉冷却材浄化系浄化設備、３４…原子炉給水系配管、４１…非常用炉心冷却系洗浄用配管、４２…洗浄弁、１０１…浄化用配管、
１０２，１０３…止め弁、１０４，１０５…ワンタッチカプラ、１０６…仮設ホース。
【図１】
2007071800.tif 000003
【図２】
2007071800.tif 000004